(57)【要約】【課題】両手で使用する歯間洗浄器を提供する。【解決手段】本発明に係る歯間洗浄器に係ればユーザが両手でフロス供給用スティックとフロス回収用スティックを握ってフロスを使用することができて、衛生的であり、従来Ｙ字型フロスホルダーとは異なり、フロスの長さと張力を容易に調節することができ、ユーザの手の感覚をそのまま活用することにより、様々なフロスの動作が可能である効果がある。【選択図】図１７
2016150246.tif 000002
【特許請求の範囲】
【請求項１】
フロス排出用開口、内部にフロスが保管される供給用フロス保管スペース、及びフロスの移動を制御する供給用フロス固定手段を備えるフロス供給用スティックと、
前記フロス供給用スティックと分離されて形成され、回収用フロス固定手段を備えるフロス回収用スティックを含み、
前記フロス供給用スティックの前記供給用フロス固定手段と、前記フロス回収用スティックの前記回収用フロス固定手段にフロスが固定されることを特徴とする、
両手で使用する歯間洗浄器。
【請求項２】
使用済みフロスを前記フロス回収用スティックの内部に保管したり、前記フロス回収用スティックの外部へ除去できることを特徴とする、
請求項１に記載の両手で使用する歯間洗浄器。
【請求項３】
前記フロス供給用スティックは、
前記フロス排出用開口が形成されたフロス供給側上部ケースと、
前記フロス供給側上部ケースの中に引き込まれ、前記供給用フロス保管スペースに保管された前記フロスの移動をガイドするフロス供給側の内部の柱を備え、前記フロス供給側上部ケースと互いに結合または解除されるフロス供給側下部ケースを含むことを特徴とする、
請求項２に記載の両手で使用する歯間洗浄器。
【請求項４】
前記供給用フロス固定手段は、
前記フロス供給側上部ケースの内周面に形成された第１上部ケースフロス固定部と、
前記フロス供給側の内部の柱の外周面に形成され、前記第１上部ケースフロス固定部と結合または解除される第１内部の柱フロス固定部を含むことを特徴とする、
請求項３に記載の両手で使用する歯間洗浄器。
【請求項５】
前記第１上部ケースフロス固定部と前記第１内部の柱のフロス固定部は互いに噛み合って結合される凹凸構造が形成されたことを特徴とする、
請求項４に記載の両手で使用する歯間洗浄器。
【請求項６】
前記フロス供給用スティックは、
前記フロス排出用開口が形成されたフロス供給側上部ケースと、
前記供給用フロス保管スペースを形成するための切開部、及び前記フロス供給側上部ケースの中に引き込まれるフロス供給側の内部の柱を備え、前記フロス供給側上部ケースと互いに結合または解除されるフロス供給側下部ケースを含むことを特徴とする、
請求項２に記載の両手で使用する歯間洗浄器。
【請求項７】
前記供給用フロス固定手段は、
前記フロス供給側上部ケースの内周面に形成された第１上部ケースフロス固定部と、
前記フロス供給側の内部の柱の外周面に形成され、前記第１上部ケースフロス固定部と結合または解除される第１内部の柱フロス固定部を含むことを特徴とする、
請求項６に記載の両手で使用する歯間洗浄器。
【請求項８】
前記第１上部ケースフロス固定部と前記第１内部の柱フロス固定部は互いに噛み合って結合される凹凸構造が形成されたことを特徴とする、
請求項７に記載の両手で使用する歯間洗浄器。
【請求項９】
前記フロス回収用スティックは、
フロス引込用開口が形成されたフロス回収側上部ケースと、
前記フロス回収側上部ケースの中に引き込まれ、前記フロス引込用開口を介して引き込まれる前記フロスの移動をガイドするフロス回収側の内部の柱を備え、前記フロス回収側上部ケースと互いに結合または解除されるフロス回収側下部ケースを含むことを特徴とする、
請求項２に記載の両手で使用する歯間洗浄器。
【請求項１０】
前記回収用フロス固定手段は、
前記フロス回収側上部ケースの内周面に形成された第２上部ケースフロス固定部と、
前記フロス回収側の内部の柱の外周面に形成され、前記第２上部ケースフロス固定部と結合または解除される第２内部柱のフロス固定部を含むことを特徴とする、
請求項９に記載の両手で使用する歯間洗浄器。
【請求項１１】
前記第２上部ケースフロス固定部と前記第２内部柱のフロス固定部は互いに噛み合って結合される凹凸構造が形成されたことを特徴とする、
請求項１０に記載の両手で使用する歯間洗浄器。
【請求項１２】
互いに結合された前記フロス回収側上部ケースと前記フロス回収側下部ケースの互いに対向する面の内、いずれか一方または両方に、回収されたフロスを前記フロス回収側の内部の柱に誘導するためのフロスの誘導溝が形成されたことを特徴とする、
請求項９に記載の両手で使用する歯間洗浄器。
【請求項１３】
前記フロス回収用スティックは、
前記フロス回収側の下部ケースの下側に回転可能に備えられ、前記フロス回収側の内部の柱の下端と結合される巻きノブをさらに含むことを特徴とする、
請求項９に記載の両手で使用する歯間洗浄器。
【請求項１４】
前記フロス回収用スティックは、
フロス用の穴と第２内部柱のフロス固定部を備えるフロス回収側の内部の柱と、前記フロス回収側の内部の柱が結合される溝を備えるフロス回収側下部ケースと、
前記フロス回収側の内部の柱を収容し、前記第２内部柱のフロス固定部に結合または解除される第２上部ケースフロス固定部を備え、前記フロス回収側下部ケースと結合される、フロス回収側上部ケースを含み、
前記フロス回収側下部ケース又は前記フロス回収側上部ケースには、前記フロスを切断するカット部が設けられていることを特徴とする、
請求項２に記載の両手で使用する歯間洗浄器。
【請求項１５】
前記フロス回収用スティックは、
第２内部柱のフロス固定部を備えるフロス回収側の内部の柱を備えたフロス回収側下部ケースと、
前記第２内部柱のフロス固定部に結合または解除される第２上部ケースフロス固定部を備え、前記フロス回収側下部ケースと結合されるフロス回収側上部ケースを含み、
前記フロス回収側下部ケース又は前記フロス回収側上部ケースには、前記フロスを切断するカット部が設けられていることを特徴とする、
請求項２に記載の両手で使用する歯間洗浄器。
【請求項１６】
前記フロス回収用スティックは、
第２上部ケースフロス固定部と切開部を備えるフロス回収側上部ケースと、
前記切開部に位置したフロスを固定するように、前記フロス回収側上部ケースに結合されるフロス回収側下部ケースを含むことを特徴とする、
請求項２に記載の両手で使用する歯間洗浄器。
【請求項１７】
前記フロス回収側上部ケースは、前記フロス供給用スティックの前記フロス排出用開口を覆うように、前記フロス供給用スティックに結合され、
前記フロス回収側下部ケースは、前記第２上部ケースフロス固定部を覆うように、前記フロス回収側上部ケースに結合されることを特徴とする、
請求項１６に記載の両手で使用する歯間洗浄器。
【請求項１８】
前記フロス供給用スティックの下部または前記フロス回収用スティックの内、いずれか一方または両方に、歯間ブラシ、口腔スプレー、振動ユニットの内、いずれか１つが収納される収納スペースが形成されたことを特徴とする、
請求項２に記載の両手で使用する歯間洗浄器。
【請求項１９】
前記フロスを前記フロス回収用スティックの外部へ除去するために、前記フロスを切断するカット部が前記フロス回収用スティックまたは前記フロス供給用スティックに形成されたことを特徴とする、
請求項２に記載の両手で使用する歯間洗浄器。
【請求項２０】
前記フロス供給用スティックと前記フロス回収用スティックは保管ケースに着脱可能に嵌結合され、前記保管ケースの取っ手部の端部には、舌クリーナーが備えられることを特徴とする、
請求項２に記載の両手で使用する歯間洗浄器。
【発明の詳細な説明】
【技術分野】
【０００１】
本発明は、両手で使用する歯間洗浄器に関し、さらに詳細には、指の代わりにデンタルフロス（dental floss：以下フロスと称する）供給用スティックとフロス回収用スティックでフロスを支持するが、フロス供給用スティックは未使用フロスを供給しフロス回収用スティックは、使用されたフロスを回収し、フロス供給用スティックとフロス回収用スティックに接続されて支持されたフロスは、長さが調節可能であり、手の感覚をそのまま活用してフロスの張力調節が容易であるだけでなく、様々な動作で歯を管理することができる両手で使用する歯間洗浄器に関する。
【背景技術】
【０００２】
口腔ケア用品の一種であるフロスは細い糸の形になっており、ブラッシングだけでは管理が難しい歯の間を集中的に管理することができるツールとして、つまようじとは異なり、歯が広がる副作用がなく、歯の間のプラークを効果的に削除することができ、虫歯を予防するのに有用である。
【０００３】
また他の口腔ケア用品の歯間ブラシは、２つの歯の歯茎の間に形成された三角地帯の食べ物のかすとプラークを除去するためのものであるのに対し、フロスは、歯と歯の間に挟まった食べ物のかすやプラークを除去するためのものである。
【０００４】
また、歯間ブラシの場合、繰り返し使用するためには、必ず歯間ブラシ自体を洗浄して使用しなければならないが、フロスの場合は、使用するたびに必要な量だけフロスを適当にカットして使用し捨てることができるので、携帯して場所に関係なく使用に適している。
【０００５】
フロスは、通常、使い捨てを除いては、衛生を考慮してケースに収められており、持ち運びが簡単であり、必要な量だけフロスを切ったり、あるいは据え置き台に結び使うようになっている。
【０００６】
このような従来のフロスケースは、単にフロスを保持するケースとして、ケースの内部に保持されたフロスを取り出し、容器に付着したカッタで切った後、切ったフロスを使用する。
【０００７】
フロスケースで切り取ったフロスをユーザが指に巻いて使用するとき、手の感覚を活用して、フロスの張力を調節することができ、様々な角度からフロスの長さを調節して、効果的に歯を管理することができる長所がある。
【０００８】
しかし、従来のフロスケースは、ユーザが適切な長さにフロスを取り出した後、切って、毎回、両方の指に巻いて使用する煩わしさがあり、さらにフロスを歯の間に通過させた後、テンションを維持したまま、歯を磨くと、指に巻いたフロスにも力が加わられることで指の痛みを誘発させる短所があった。
【０００９】
また、フロスを指に巻いて固定するためには、実際に使用するフロスより長く切って使用しなければならないのでフロスが必要以上に無駄になる問題があるだけでなく、フロスの長さ調節のために、指に巻かれたフロスを解いて使用する場合もあり、衛生上清潔しない問題があった。
【００１０】
さらに、ユーザがフロスを巻いて指を口の中に入れて使用しなければならない場合もあり、衛生の問題だけでなく、不快感ももたらすという問題点があった。
【００１１】
また他の従来のフロスホルダーとして「Ｙ」形状に形成されたフロスホルダーがあり、これはフロスが備えられた本体上部に両脇に広がる二本の柱にフロスを固定させる方式である。
【００１２】
しかし、この方式は、毎回フロスを二つの柱に固定しなければならない不便さがあるだけでなく、使用していると二本の柱の間に固定されたフロスが緩む傾向があり、固定されたフロスを緩めて再度固定しなければならない面倒な問題があった。
【００１３】
また、二本の柱の間の距離が固定されており、フロスの長さの調節が不可能であり、口の中の奥深くに挿入したときに突出した柱が口の中を不便さがあった。
【先行技術文献】
【特許文献】
【００１４】
【特許文献１】韓国公開特許第10-2001-007960「歯間清掃用絹糸ホルダー」
【発明の概要】
【発明が解決しようとする課題】
【００１５】
したがって、本発明の目的は、前述した背景からなされたもので、ユーザが両手でフロス供給用スティックとフロス回収用スティックを握ってフロスを使用することができて、衛生的であり、従来Ｙ字型のフロスホルダーとは異なり、フロスの長さと張力を容易に調節することができ、ユーザの手の感覚をそのまま活用することにより、様々なフロスの動作が可能な、両手で使用する歯間洗浄器を提供することにある。
【００１６】
本発明の他の目的は、フロス供給用スティック内に保管されたフロスの束から持続的にきれいなフロスが供給され、使用されたフロスは、フロス回収用スティック内に保管されたり、外部に排出された後、廃棄されるため、従来毎回フロスを切って指に巻きつけ使用するか、別のフロスホルダーに巻き使った後切って廃棄しなければならなかった不便さを解消することができフロスの無駄を最小化することができる両手で使用する歯間洗浄器を提供することにある。
【００１７】
本発明のまた、他の目的は、フロス供給用スティック及び/またはフロス回収用スティックに別途の収納空間が形成され、この収納スペースに歯間ブラシ、口腔清潔スプレー、振動ユニットなどが収納されることにより、歯衛生用品を共に保管して使用することができる両手で使用する歯間洗浄器を提供することにある。
【００１８】
本発明の目的は、これに限定されず、言及されていないまた他の目的は、下記の記載から、通常の技術者に明確に理解することができる。
【課題を解決するための手段】
【００１９】
このような目的を達成するために、本発明の一実施の形態では、上部にフロス排出用開口、内部にフロスが保管される供給用フロス保管スペース、及びフロスの移動を制御する供給用フロス固定手段を備えるフロス供給用スティックと、前記フロス供給用スティックと分離されて形成され、回収用フロス固定手段を備えるフロス回収用スティックを含み、前記フロス供給用スティックの供給用フロス固定手段と、前記フロス回収用スティックの回収用フロス固定手段にフロスを固定することを特徴とする、両手で使用する歯間洗浄器を提供する。
【発明の効果】
【００２０】
本発明の両手で使用する歯間洗浄器によれば、ユーザが両手でフロス供給用スティックとフロス回収用スティックを握ってフロスを使用することができて、衛生的であり、従来Ｙ字型のフロスホルダーとは異なり、フロスの長さと張力を容易に調節することができ、ユーザの手の感覚をそのまま活用することにより、様々なフロスの動作が可能な効果がある。
【００２１】
また、フロス供給用スティック内に保管されたフロスの束から持続的できれいなフロスが供給され、使用されたフロスは、フロス回収用スティック内に保管されたり、外部に排出された後、廃棄されるため、従来毎回フロスを切って指に巻きつけ使用するか、別のフロスホルダーに巻き使った後切って廃棄しなければならなかった不便さを解消することができフロスの無駄を最小かすることができる効果がある。
【００２２】
また、フロス供給用スティックまたはフロス回収用スティックに別途の収納空間が形成され、この収納スペースに歯間ブラシ、口腔清潔スプレー、振動ユニットなどが収納されることにより、歯科衛生用品を共に保管して使用することができる効果がある。
【図面の簡単な説明】
【００２３】
【図１】本発明の第１の実施の形態に係る両手で使用する歯間洗浄器を示す斜視図である。
【図２】図１の歯間洗浄器に適用が可能なフロス供給用スティックの第1の実施の形態を示す分解斜視図である。
【図３】図２のフロス供給用スティックの結合断面図である。
【図４】図２のフロス供給用スティックの動作過程を示す図である。
【図５】図１の歯間洗浄器に適用が可能なフロス供給用スティックの第２の実施の形態を示す分解斜視図である。
【図６】図２のフロス供給用スティックの第１の変形実施の形態の動作過程を示す図である。
【図７】図２のフロス供給用スティックの第２の実施の形態の部分断面図である。
【図８】図１の歯間洗浄器に適用が可能なフロス回収用スティックの第1の実施の形態を示す分解斜視図である。
【図９】図８のフロス回収用スティックの結合断面図である。
【図１０】図１の歯間洗浄器に適用が可能なフロス回収用スティックの第２の実施の形態を示す断面図である。
【図１１】本発明の第２の実施の形態に係る両手で使用する歯間洗浄器を示す斜視図である。
【図１２】図１１の歯間洗浄器に適用が可能なフロス回収用スティックの第1の実施の形態を示す分解斜視図である。
【図１３】図１２のフロス回収用スティックの一部が結合された状態の断面図である。
【図１４】図１１の歯間洗浄器に適用が可能なフロス回収用スティックの第２の実施の形態を示す分解斜視図である。
【図１５】図１４の振動ユニットの使用例を示した斜視図である。
【図１６】図１１の歯間洗浄器に適用が可能なフロス回収用スティックの第３の実施の形態を示す分解斜視図である。
【図１７】本発明の第３の実施の形態に係る両手で使用する歯間洗浄器を示す斜視図である。
【図１８】図１７の歯間洗浄器に適用が可能なフロス供給用スティックの第１の実施の形態を示す分解斜視図である。
【図１９】図１７の歯間洗浄器に適用が可能なフロス回収用スティックの第１の実施の形態を示す分解斜視図である。
【図２０】図１９のフロス回収用スティックの動作過程を示す図である。
【図２１】図１７の歯間洗浄器に適用が可能なフロス回収用スティックの第２の実施の形態を示す分解斜視図である。
【図２２】図２1のフロス回収用スティックの動作過程を示す図である。
【図２３】本発明の実施の形態に係る両手で使用する歯間洗浄器と保管ケースを示す分解斜視図である。
【図２４】本発明の第４の実施の形態に係る両手で使用する歯間洗浄器を示す一部 分解斜視図である。
【図２５】図２４の歯間洗浄器に適用が可能なフロス回収用スティックの動作過程を示す図である。
【図２６】図２５の歯間洗浄器の保管状態を示す結合斜視図である。
【発明を実施するための形態】
【００２４】
以下、本発明の一部実施の形態を例示的な図面を介して詳細に説明する。各図面の構成要素に参照符号を付加するに当たって、同一の構成要素については、たとえ他の図面上に表示されても、可能な限り同一の符号を有するようにしていることに留意しなければならない。
【００２５】
また、本発明を説明することにあたり、関連した公知の構成または機能に対する具体的な説明が本発明の要旨を曖昧にすることができると判断される場合には、その詳細な説明は省略する。
【００２６】
また、本発明の構成要素を説明するにあたって、第１、第２、Ａ、Ｂ、（ａ）、（ｂ）などの用語を使用することができる。このような用語は、その構成要素を他の構成要素と区別するためのものだけ、その用語により当該構成要素の本質や順番や順序などが限定されない。
【００２７】
いずれの構成要素が他の構成要素に「連結」、「結合」または「接続」と記載されている場合、その構成要素は、その異なる構成要素に直接連結されるか、または接続することができるが、各構成要素の間にまた、他の構成要素が「連結」、「結合」または「接続」することもできると理解すべきである。
【００２８】
以下、図１〜図１０を参照して、本発明の第１の実施の形態に係る両手で使用する歯間洗浄器について説明する。
【００２９】
図１は、本発明の第１の実施の形態に係る両手で使用する歯間洗浄器を示す斜視図である。図２は、図１の歯間洗浄器に適用が可能なフロス供給用スティックの第１の実施の形態を示す分解斜視図である。図３は、図２のフロス供給用スティックの結合断面図である。
【００３０】
図４は、図２のフロス供給用スティックの動作過程を示す図である。図５は、図１の歯間洗浄器に適用が可能なフロス供給用スティックの第２の実施の形態を示す分解斜視図である。図６は、図２のフロス供給用スティックの第１の変形実施の形態の動作過程を示す図である。
【００３１】
図７は、図２のフロス供給用スティックの第２の変形実施の形態の部分断面図である。図８は、図１の歯間洗浄器に適用が可能なフロス回収用スティックの第１の実施の形態
を示す分解斜視図である。図９は、図８のフロス回収用スティックの結合断面図である。図１０は、図１の歯間洗浄器に適用が可能なフロス回収用スティックの第２の実施の形態を示す断面図である。
【００３２】
これらの図に示すように、本発明の第１の実施の形態に係る両手で使用する歯間洗浄器１００は、上部にフロス排出用開口１０１が形成され、内部にフロス１０３が保管される供給用フロス保管スペース３０１とフロス１０３の移動を制御する供給用フロス固定手段３０３が備えられたフロス供給用スティック１０５、と上部にフロス引込用開口１０７が形成され、内部にフロス１０３の移動を制御する回収用フロスの固定手段９０３が備えられたフロス回収用スティック１０９とを含み、供給用フロス保管スペースに備えられたフロス１０３は、フロス排出用開口１０１とフロス引込用開口１０７を経て、フロス回収用スティック１０９の内部に保管されることを特徴とする。
【００３３】
以下、フロス供給用スティック１０５とフロス回収用スティック１０９に対して順次説明する。
【００３４】
フロス供給用スティック１０５は、フロス１０３を供給する機能を実行するために、フロス供給用スティック１０５の上部には、フロス１０３を排出するためのフロス排出用開口１０１が形成さされており、フロス供給用スティック１０５の内部には、フロス１０３の供給のための供給用フロス１０３（フロスの束）が保管される供給用フロス保管スペース３０１が備えられる。
【００３５】
また、フロス供給用スティック１０５の内部には、フロス１０３の移動を制御する供給用フロス固定手段３０３が備える。
【００３６】
このようなフロス供給用スティック１０５は、ユーザが片手で握りやすく、長い棒形状で提供することができる。
【００３７】
一方、フロス供給用スティック１０５の構造の一例をさらに具体的に説明すると、フロス供給用スティック１０５は、互いに結合または解除されるフロス供給側上部ケース１１１とフロス供給側下部ケース１１３を含むことができる。
【００３８】
ここで、フロス供給側上部ケース１１１とフロス供給側下部ケース１１３は、ネジ山の結合手段、締り嵌め手段などの結合手段として、互いに結合または解除することができ、この他にも様々な結合手段で互いに結合されるかまたは解除することができる。
【００３９】
もちろん、これとは異なりフロス供給用スティック１０５は、複数のカバーが上下あるいは左右に結合されて一体型に構成されるスティック形状を成すこともできる。
【００４０】
フロス供給側の上部ケース１１１の上部には、フロス排出用開口１０１が形成され、フロス供給側の上部ケース１１１の下部は開放された形状になる。
【００４１】
したがって、フロス供給側の上部ケース１１１がフロス供給側の下部ケース１１３と結合時、その内部に供給用フロス１０３（フロスの束）が保管される供給用フロス保管スペース３０１が形成され、また、供給用フロス１０３が移動する通路であるフロス移動路が形成されるようになっている。
【００４２】
ここで、前述したフロス移動路はフロス１０３がフロス排出用開口１０１に向かって移動される通路を意味し、供給用フロス１０３（すなわち、未使用フロス）が外部に露出されない通路である。
【００４３】
フロス供給側の下部ケース１１３は、フロス供給側の上部ケース１１１と互いに結合または解除されるが、フロス供給側の下部ケース１１３には、フロス供給側の上部ケース１１１内に引き込まれ、供給用フロス保管スペース３０１に保管されたフロス１０３の移動をガイドするフロス供給側の内部の柱２０１が設けられる。
【００４４】
このとき、フロス供給側の内部の柱２０１は、図３に示すようにフロス供給側の下部ケース１１３の内部から上側に向かって延長されたり、図５に示すようにフロス供給側の下部ケース１１３の上端にキャップの形で結合された後、その中心から上側に向かって突出延長される形で提供することができる。
【００４５】
もちろん、図５に示されたフロス供給側の内部の柱２０１の場合、フロス供給側の下部ケース１１３の上端に支持されるボディ部５０１に凹溝形状のフロス通路溝５０３が形成されることができる。
【００４６】
一方、フロス１０３の移動を制御する供給用フロス固定手段３０３は、一例として、フロス供給側の上部ケース１１１の内周面に形成された第１上部ケースのフロス固定部３０５と、第１上部ケースのフロス固定部３０５に結合または解除されフロス供給側の内部の柱２０１の外周面に形成された第１内部の柱のフロス固定部２０３を含むことができる。
【００４７】
ここで、第１上部ケースのフロス固定部３０５と、第１内部の柱のフロス固定部２０３は、互いに噛み合って結合される凹凸構造で形成されることがあり、このような凹凸構造により、第１上部ケースのフロス固定部３０５と、第１内部の柱のフロス固定部２０３が互いに強固に密着され、結合されてフロス１０３を固定することができるようになる。
【００４８】
また、第１上部ケースのフロス固定部３０５と、第１内部の柱のフロス固定部２０３の結合時に、第１内部の柱のフロス固定部２０３の上端（すなわち、フロス供給側の内部の柱２０１の上端）がフロス排出用開口１０１の内に挟まれながら、これを密閉させ、異物などがフロス供給用スティック１０５の内部に浸透することを防止することになる。
【００４９】
そして、前述した第１内部の柱のフロス固定部２０３の上端（すなわち、フロス供給側の内部の柱２０１の上端）は、第１上部ケースのフロス固定部３０５と、第１内部の柱のフロス固定部２０３の結合時に、フロス供給側の上部ケース１１１の外部に突出することもあるが、この突出部位６０１の外周面には、図６に示すように横に内入される溝６０３が形成され、使用時フロス供給用スティック１０５の外部に引き出されたフロス１０３が溝６０３に巻かれ、その長さが調整されることもある。
【００５０】
もちろん、このような溝６０３の代わりにフロス排出用開口１０１の外周面に突起が形成されてフロス供給用スティック１０５とフロス回収用スティック１０９との間にかけられたフロス１０３が巻かれて、その長さが調節されることもある。
【００５１】
また、前述した供給用フロス固定手段３０３は、前述したフロス供給側の上部ケース１１１とフロス供給側の下部ケース１１３を互いに結合または解除させる結合手段（ネジ結合手段または締り嵌め手段など）の機能を取り替えるとか、補助することもできる。
【００５２】
すなわち、フロス供給側の上部ケース１１１とフロス供給側の下部ケース１１３を互いに結合または解除させる結合手段または供給用フロスの固定手段３０３の内、いずれか一箇所を強く結合させたり、あるいは緩く結合させたり、あるいは結合を解除すると、残りのも連動して強い結合あるいは緩い結合あるいは結合解除が行われます。
【００５３】
また、供給用フロス固定手段３０３が解除されても結合手段が緩い結合を維持することにより、フロス供給側の上部ケース１１１とフロス供給側の下部ケース１１３が完全に分離されることを防止することもできるようにもなる。
【００５４】
換言すれば、フロス供給側の上部ケース１１１とフロス供給側の下部ケース１１３を互いに結合または解除させる結合手段と供給用フロスの固定手段３０３は、図７に示すように、それぞれネジ結合方式または締り嵌め方式で結合と解除が行われるが、互いに動作が連動されることによって結合手段を解除したり、強い結合から緩い結合に切り替えると、供給用フロス固定手段３０３の結合力が解除されたり、あるいは緩い結合に転換される。
【００５５】
したがって、フロス１０３の移動が自由になることで供給用フロス保管スペース３０１に備えられたフロス１０３がフロス排出用開口１０１を介して外部に取り出されることがあり、再度結合手段を強く結合させると、供給用フロス固定手段３０３もまた強く結合されフロス１０３がフロス供給用スティック１０５にしっかりと固定されるようになる。
【００５６】
または供給用フロス固定手段３０３がネジ結合方式の場合、供給用フロス固定手段３０３によってフロス１０３が固定さと同時にフロス供給側の上部ケース１１１とフロス供給側下部ケース１１３も結合されるから別々の結合手段を備えないようにすることもできる。
【００５７】
一方、図７の（ａ）は、結合手段と供給用フロス固定手段３０３がネジ結合方式である例を、図７の（ｂ）は、結合手段が締り嵌め方式であり、供給用フロス固定手段３０３がネジ結合方式である例を、図７の（ｃ）は、結合手段が締り嵌め方式であり、供給用フロス固定手段３０３が締り嵌め方式である例を示した。
【００５８】
さらに、フロス供給用スティック１０５の下部には、収納スペース３０７が用意されることがあるが、この収納スペース３０７には、歯間ブラシ２０５が収納されて、ユーザの利便性を向上させることができる。
【００５９】
フロス回収用スティック１０９は、フロス１０３を回収する機能を実行するが、フロス回収用スティック１０９の上部には、フロス１０３を引込するためのフロス引込み用開口１０７が形成さされており、フロス回収用スティック１０９の内部には、デンタルフロス１０３の回収のための回収用フロス１０３（フロスの束）が保管される回収用フロス保管スペース９０１が備えられることがある。
【００６０】
また、フロス回収用スティック１０９の内部には、フロス１０３の移動を制御する回収用フロスの固定手段９０３が備える。
【００６１】
このようなフロス回収用スティック１０９は、ユーザが片手で握りやすく、長い棒形状で提供することができる。
【００６２】
一方、フロス回収用スティック１０９の構造の一例をさらに具体的に説明すると、フロス回収用スティック１０９は、互いに結合または解除されるフロス回収側の上部ケース１１５とフロス回収側の下部ケース１１７を含むことができる。
【００６３】
ここで、フロス回収側の上部ケース１１５とフロス回収側の下部ケース１１７は、ネジ山の結合手段、締り嵌め手段などの結合手段として、互いに結合または解除することができ、この他にも様々な結合手段で互いに結合されるか、または解除されることがある。
【００６４】
もちろん、これとは異なりフロス回収用スティック１０９は、複数のカバーが上下あるいは左右に結合されて一体型に構成されるスティック形状を成すこともできる。
【００６５】
フロス回収側の上部ケース１１５の上部には、フロス引込用開口１０７が形成され、フロス回収側の上部ケース１１５の下部は開放された形状になる。
【００６６】
したがって、フロス回収側の上部ケース１１５がフロス回収側の下部ケース１１７と結合時、その内部に回収用フロス１０３（フロスの束）が保管される回収用フロス保管スペース９０１が形成されることがあり、また、回収用フロス１０３が移動する通路であるフロス移動路が形成されるようになっている。
【００６７】
ここで、前述した回収用フロス１０３が移動する通路であるフロス移動路はフロス引込用開口１０７を介して引込されたフロス１０３が移動される通路を意味し、回収用フロス１０３ （つまり、使用されたフロス）が外部に露出されない通路である。
【００６８】
フロス回収側の下部ケース１１７は、フロス回収側の上部ケース１１５と互いに結合または解除されるように設けされ、フロス回収側の下部ケース１１７には、フロス回収側の上部ケース１１５内に引込され、フロス引込用開口１０７を介して引込されるデンタルフロス１０３の移動をガイドするフロス回収側の内部の柱８０１が設けられる。
【００６９】
このとき、フロス回収側の内部の柱８０１は、図９に示すように、フロス回収側の下部ケース１１７の底面を貫通した下端が巻きノブ８０３に結合される構造で提供なることもあり、図１０に示すように、フロス回収側の内部の柱８０１の下端がフロス回収側の下部ケース１１７の底面に結合される構造で提供されることもある。
【００７０】
ここでフロス回収側の内部の柱８０１の下端がフロス回収側の下部ケース１１７の底面を貫通して巻きノブ８０３に結合される場合、フロス回収側の内部の柱８０１にフロス１０３が巻かれながら回収された後、フロス１０３を固定させるためにフロス回収側の上部ケース１１５とフロス回収側の下部ケース１１７を結合時、必要以上にフロス回収側の下部ケース１１７が回転されることにつれてフロス１０３の長さを正確に調節しにくいことを解決することができるようになる。
【００７１】
そして、互いに結合されたフロス回収側の上部ケース１１５とフロス回収側の下部ケース１１７の互いに対向する面の内、いずれか一方または両方には、回収されたフロス１０３をフロス回収側の内部の柱８０１に誘導するためのフロス誘導溝８０７が形成されることがあるが、図では、フロス誘導溝８０７が、特にフロス回収側の上部ケース１１５に形成された例を示した。
【００７２】
このように、フロス誘導溝８０７が形成されることにより、回収されるフロス１０３がフロス回収側の下部ケース１１７または巻きノブ８０３の回転動作に影響を受けずによじれず、フロス回収側の内部の柱８０１に巻き取られることができるようになる。
【００７３】
一方、フロス１０３の移動を制御する回収用フロスの固定手段９０３は、一例として、フロス回収側の上部ケース１１５の内周面に形成された第２上部ケースのフロス固定部９０５と、第２上部ケースのフロス固定部９０５に結合または解除されフロス回収側の内部の柱８０１の外周面に形成された第２内部の柱のフロス固定部８０５を含むことができる。
【００７４】
ここで、第２上部ケースのフロス固定部９０５と第２内部の柱のフロス固定部８０５は、互いに噛み合って結合される凹凸構造で形成されることがあり、このような凹凸構造により、第２上部ケースのフロス固定部９０５と第２内部の柱のフロス固定部８０５が互いに強固に密着され、結合されてフロス１０３を固定することができるようになる。
【００７５】
また、第２上部ケースのフロス固定部９０５と第２内部の柱のフロス固定部８０５の結合時に、第２内部の柱のフロス固定部８０５の上端（すなわち、フロス回収側の内部の柱８０１の上端）がフロス引込用開口１０７内に挟まれながら、これを密閉させ、異物などがフロス回収用スティック１０９の内部に浸透することを防止することになる。
【００７６】
そして、たとえ図面上には示されていないが、図６に示された構造と類似に、前述した第２内部の柱のフロス固定部８０５の上端（すなわち、フロス回収側の内部の柱８０１の上端）は、第２上部ケースのフロス固定部９０５と第２内部の柱のフロス固定部８０５の結合時に、フロス回収側の上部ケース１１５の外部に突出することもあるが、この突出部位の外周面には、横に内入される溝が形成されて、使用時フロス回収用スティック１０９の内部に引き込まれたフロス１０３が溝に巻き付けられ、その長さが調整されることもある。
【００７７】
もちろん、このような溝の代わりにフロス引込用開口１０７の外周面に突起が形成されてフロス回収用スティック１０９とフロス供給用スティック１０５との間にかけられたフロス１０３が巻き付けられ、その長さが調整されることもできる。
【００７８】
また、前述した回収用フロスの固定手段９０３は、前述したフロス回収側の上部ケース１１５とフロス回収側の下部ケース１１７を互いに結合または解除させる結合手段（ネジ結合手段または締り嵌め手段など）の機能を代替させるとか、補助することもできる。
【００７９】
すなわち、フロス回収側の上部ケース１１５とフロス回収側の下部ケース１１７を互いに結合または解除させる結合手段、あるいは回収用フロスの固定手段９０３の内、いずれか一箇所を強く結合させたり、あるいは緩い結合させたり、あるいは結合を解除すると、残りのも連動して強い結合あるいは緩い結合あるいは結合解除が行われる。
【００８０】
また、回収用フロスの固定手段９０３が解除されても結合手段が緩い結合を維持することにより、フロス回収側の上部ケース１１５とフロス回収側の下部ケース１１７が完全に分離されることを防止することもできるようになる。
【００８１】
換言すれば、フロス回収側の上部ケース１１５とフロス回収側の下部ケース１１７を互いに結合または解除させる結合手段と回収用フロスの固定手段９０３は、それぞれネジ結合方式または締り嵌め方式で結合と解除が行われるが、互いの動作が連動されることによって結合手段を解除したり、強い結合から緩い結合に切り替えると、回収用フロスの固定手段９０３の結合力が解除されたり、あるいは緩い結合に転換されて、フロス１０３の移動が自由になることにより、フロス１０３がフロス引込用開口１０７を介して回収用フロス保管スペース９０１引き込まれることがある。
【００８２】
そして、結合手段を強く結合させると、回収用フロスの固定手段９０３もまた強く結合されてフロス１０３がフロス回収用スティック１０９にしっかりと固定されるようになる。
【００８３】
または回収用フロスの固定手段９０３がネジ結合方式の場合、回収用フロスの固定手段９０３によってフロス１０３が固定されると同時にフロス回収側の上部ケース１１５とフロス回収側の下部ケース１１７も結合されるので別の結合手段を備えないようにすることもできる。
【００８４】
以下、図１１〜図１６を参照して、本発明の第２の実施の形態に係る両手で使用する歯間洗浄器について説明する。
【００８５】
図１１は、本発明の第２の実施の形態に係る両手で使用する歯間洗浄器を示す斜視図である。図１２は、図１１の歯間洗浄器に適用が可能なフロス回収用スティックの第１の実施の形態を示す分解斜視図である。図１３は、図１２のフロス回収用スティックの一部が結合された状態の断面図である。
【００８６】
図１４は、図１１の歯間洗浄器に適用が可能なフロス回収用スティックの第２の実施の形態を示す分解斜視図である。図１５は、図１４の振動ユニットの使用例を示した斜視図である。図１６は、図１１の歯間洗浄器に適用が可能なフロス回収用スティックの第３の実施の形態を示す分解斜視図である。
【００８７】
図１〜図１０に示す前述した第１の実施の形態に係る歯間洗浄器は、回収用フロス（つまり、使用されたフロス）がフロス回収用スティックの内部に設けられた回収用フロス保管スペースに保管される構造を有するが、第２の実施の形態に係る歯間洗浄器は、回収用フロスがフロス回収用スティックの内部に保管されず、除去された構造を有する。
【００８８】
図１１〜図１６に示すように、本発明の第２の実施の形態に係る両手で使用する歯間洗浄器は、前述した第１の実施の形態の歯間洗浄器に適用されたフロス供給用スティック１０５と、上部にフロス引込用開口１０７が形成され、内部にフロス１０３の移動を制御する回収用フロスの固定手段９０３が備えられたフロス回収用スティック１０９とを含む。
【００８９】
前述のように、本実施の形態のフロス供給用スティック１０５は、前述した第１の実施の形態のフロス供給用スティックと同じなので、以下では、フロス回収用スティック１０９についてのみ説明する。
【００９０】
フロス回収側の内部の柱１２０１は、上部が閉鎖されたフロス回収側の下部ケース１１７の上部面から上側に突出し延長された構造で提供され、フロス回収用スティック１０９の外面、一例としてフロス回収側の下部ケース１１７の外面には、回収用フロス（つまり、使用されたフロス）を切断するカット部１１０１が備えられる。
【００９１】
そして、フロス回収側の下部ケース１１７には、フロス回収側の上部ケース１１５の内部に引き込まれたフロスをフロス回収用スティック１０９の外部に引き出すための切開部が形成される。
【００９２】
したがって、回収用フロス（つまり、使用されたフロス）はフロス回収側の下部ケース１１７に形成された切開部を通してフロス回収用スティックの外部に引き出した状態でカット部１１０１を用いて簡単に切断することができる。
【００９３】
さらに、フロス回収用スティック１０９の下部には、収納スペース１３０１が用意されることがあるが、この収納スペース１３０１には、歯間ブラシ２０５が収納されることができる。これとは異なり、デンタルフロス回収側の下部ケース１１７には、口腔スプレー１７０１または振動ユニット１５０１などが結合または収納することができ、振動ユニット１５０１には、歯間ブラシ１６０１を装着することができる溝１５０３が形成されることがある。
【００９４】
以下、図１７〜図２２を参照して、本発明の第３の実施の形態に係る両手で使用する歯間洗浄器について説明する。
【００９５】
図１７は、本発明の第３の実施の形態に係る両手で使用する歯間洗浄器を示す斜視図である。図１８は、図１７の歯間洗浄器に適用が可能なフロス供給用スティックの第１の実施の形態を示す分解斜視図である。図１９は、図１７の歯間洗浄器に適用が可能なフロス回収用スティックの第１の実施の形態を示す分解斜視図である。
【００９６】
図２０は、図１９のフロス回収用スティックの動作過程を示す図である。図２1は、図１７の歯間洗浄器に適用が可能なフロス回収用スティックの第２の実施の形態を示す分解斜視図である。図２２は、図２1のフロス回収用スティックの動作過程を示す図である。
【００９７】
図１７〜図２２に示した歯間洗浄器は、回収用フロス（つまり、使用されたフロス）をフロス回収用スティックの内部空間に回収または保管するのではなく、前述した第２の実施の形態と同様に回収用フロスを除去するように構成される。
【００９８】
まず、図１７〜図２０を参照すると、本発明の第３の実施の形態に係る両手で使用する歯間洗浄器は、デンタルフロス供給用スティッ２１０５とフロス回収用スティック２１０９を含む。
【００９９】
フロス供給用スティック２１０５は、ネジ山の結合手段、締り嵌め手段などの様々な結合手段で互いに結合されるか、または解除されることができるフロス供給側の上部ケース２１１１とフロス供給側の下部ケース２１１３を備える。
【０１００】
フロス供給側の上部ケース２１１１の上部には、フロス１０３を排出するためのフロス排出用開口２１０１が形成されており、フロス供給側の下部ケース２１１３には、供給用フロス２１０３（フロスの束）が保管される供給用フロス保管スペース２３０１が備えられる。
【０１０１】
そして、供給用フロス保管スペース２３０１に供給用フロス１０３を保管できるようにするとともに、フロス１０３をフロス排出用開口２１０１を介して引き出すことができるようにするために、フロス供給側の下部ケース２１１３には、切開部２１１９が備え、切開部２１１９と隣接するところにはフロス２１０３の移動を制御する第１内部の柱のフロス固定部２２０３を備えたフロス供給側の内部の柱２２０１が備えられる。
【０１０２】
したがって、フロス供給側の上部ケース２１１１がフロス供給側の下部ケース２１１３と結合すると、内部の柱２２０１がフロス供給側の上部ケース２１１１の内部に位置する。
【０１０３】
一方、示さないが、フロス供給側の上部ケース２１１１の内周面には、フロス供給側の内部の柱２２０１に形成された第１内部の柱のフロス固定部２２０３に結合または解除される第１上部ケースのフロス固定部（図３の３０３参照）がさらに形成されることができる。
【０１０４】
第１内部の柱のフロス固定部２２０３と、第１上部ケースフロス固定部によるフロス固定及び解除動作は、前述した第１の実施の形態と同一乃至類似するので、詳細な説明は省略する。
【０１０５】
フロス回収用スティック２１０９は、ネジ山の結合手段、締り嵌め手段などの様々な結合手段で互いに結合されるか、または解除することができるフロス回収側の上部ケース２１１５とフロス回収側の下部ケース２１１７を含む。
【０１０６】
フロス回収側の上部ケース２１１５の上部には、開口２１０７が形成され、フロス回収側の上部ケース２１１５の下部は開放された形状でなされ、フロス回収側の上部ケース２１１５がフロス回収側の下部ケース２１１７との結合の時、その内部にフロス回収側の内部の柱２８０１が位置する。
【０１０７】
フロス回収側の内部の柱２８０１は、フロス回収側の下部ケース２１１７に結合され、フロス回収側の内部の柱２８０１とフロス回収側の下部ケース２１１７の結合状態を良好に維持するために、フロス回収側の内部の柱２８０１の下端と前記フロス回収側の内部の柱２８０１が結合される溝２１１８の形状は、多角形、一例として四角形で形成することができる。
【０１０８】
一方、フロス１０３の移動を制御する回収用フロスの固定手段は、一例として、フロス回収側の上部ケース２１１５の外周面に形成された第２上部ケースフロス固定部２９０５と、第２上部ケースのフロス固定部２９０５に結合または解除されフロス回収側の内部の柱２８０１に形成された第２内部の柱のフロス固定部２８０５を含むことができる。
【０１０９】
そして、第２内部の柱のフロス固定部２８０５には、フロスの穴２８０６が形成されてあり、フロス回収用スティック２１０９の外面、一例としてフロス回収側の下部ケース２１１７の外面には、回収用フロス（つまり、使用されたフロス）を切断するカット部１１０１が備えられる。
【０１１０】
したがって、回収用フロス（つまり、使用されたフロス）はカット部１１０１を用いて簡単に切断することができる。
【０１１１】
以下、図２1及び図２２を参照して、図１７の歯間洗浄器に適用が可能なフロス回収用スティックの第２の実施の形態を説明する。
【０１１２】
本実施の形態のフロス回収用スティック３１０９は、ネジ山の結合手段、締り嵌め手段などの様々な結合手段で互いに結合されるか、または解除されることができるフロス回収側の上部ケース３１１５とフロス回収側の下部ケース３１１７を含む。
【０１１３】
フロス回収側の上部ケース３１１５の上部には、縦方向開口３１０７及び横方向開口３１０８が形成され、フロス回収側の上部ケース３１１５の下部は開放された形状で構成され、フロス回収側の上部ケース３１１５がフロス回収側の下部ケース３１１７との結合の時、その内部にフロス回収側の内部の柱３８０１が位置する。
【０１１４】
フロス回収側の内部の柱３８０１は、フロス回収側の下部ケース３１１７に一体に形成されている。
【０１１５】
一方、フロス１０３の移動を制御する回収用フロス固定手段は、一例として、フロス回収側の上部ケース３１１５に形成された第２上部ケースのフロス固定部３９０５と、第２上部ケースのフロス固定部３９０５に結合または解除されフロス回収側の内部の柱３８０１に形成された第２内部の柱のフロス固定部３８０５を含むことができる。
【０１１６】
そして、フロス回収用スティック３１０９の外面、一例としてフロス回収側の下部ケース３１１７の外面には、回収用フロス（つまり、使用されたフロス）を切断するカット部１１０１が備えられる。
【０１１７】
したがって、回収用フロス（つまり、使用されたフロス）はカット部１１０１を用いて簡単に切断することができる。
【０１１８】
第３の実施の形態に係る歯間洗浄器に適用されるフロス供給用スティックは、前述した第１の実施の形態及び第２の実施の形態に係る歯間洗浄器のフロス供給用スティックの代わりに適用されることもあり、第３の実施の形態に係る歯間洗浄器に適用されるフロス回収用スティックは、前述した第１の実施の形態及び第２の実施の形態に係る歯間洗浄器のフロス回収用スティックの代わりに適用されることもある。
【０１１９】
一方、図２３に示すように、フロス供給用スティック（１０５、２１０５）とフロス回収用スティック（１０９、２１０９、３１０９）は、保管ケース１４０１に収納されて保管されることがあるが、このような保管ケース１４０１は、フロス供給用スティック（１０５、２１０５）とフロス回収用スティック（１０９、２１０９、３１０９）が嵌結合されるボディ部１４０３と、ボディ部１４０３から延長され、端部に舌クリーナー１４０５が形成されたハンドル部１４０７を含むことができる。
【０１２０】
ここで、舌クリーナー１４０５は、「Ｔ」形状または「Ｏ」形状に行われることがあり、舌クリーナー１４０５の端部には、横に一定の高さ突出されたこそげる部が形成されることができる。
【０１２１】
このような保管ケース１４０１を使用するようになると、フロス供給用スティック（１０５、２１０５）、フロス回収用スティック（１０９、２１０９、３１０９）及び露出されたフロス１０３を同時に衛生的に収納することができるだけでなく、独立して、舌クリーナー１４０５を使用することもできるようになり、さらに効果的な口腔管理が可能となる。
【０１２２】
以下、図２４〜図２６を参照して、本発明の第４の実施の形態に係る両手で使用する歯間洗浄器について説明する。
【０１２３】
図２４は、本発明の第４の実施の形態に係る両手で使用する歯間洗浄器を示す一部分解斜視図である。図２５は、図２４の歯間洗浄器に適用が可能なフロス回収用スティックの動作過程を示す図である。図２６は、図２５の歯間洗浄器の保管状態を示す結合斜視図である。
【０１２４】
本実施の形態の歯間洗浄器は、第２の実施の形態に係る歯間洗浄器と同様に回収用フロス（つまり、使用されたフロス）がフロス回収用スティックの内部に保管されず、除去される構造を有する。
【０１２５】
第３の実施の形態に係る歯間洗浄器は、前述した第１の実施の形態の歯間洗浄器に適用されたフロス供給用スティック１０５または、前述した第２の実施の形態の歯間洗浄器に適用されたフロス供給用スティッ２１０５と、新しい構造のフロス回収用スティック４１０９を含む。
【０１２６】
フロス回収用スティック４１０９は、締り嵌め方式で互いに結合されるか、または解除されることができるフロス回収側の上部ケース４１１５とフロス回収側の下部ケース４１１７を含む。
【０１２７】
フロス回収側の上部ケース４１１５の下部は開放された形状でなされ、フロス回収側の上部ケース４１１５がフロス回収側の下部ケース４１１７との結合の時、その内部にフロス回収側の下部ケース４１１７の一部が位置する。
【０１２８】
フロス４１０３の移動を制御する回収用フロス固定手段は、一例として、フロス回収側の上部ケース４１１５に形成された第２上部ケースのフロス固定部４９０５と切開部４１１９を含むことができる。
【０１２９】
したがって、第２上部ケースのフロス固定部４９０５にフロスを１回〜２回巻いた後、フロスの一部を切開部４１１9に位置させた状態で、フロス回収側の下部ケース４１１７をフロス回収側の上部ケース４１１５に結合するとフロス４１０３が固定される。
【０１３０】
このような構成の歯間洗浄器は使用しないときフロス回収側の上部ケース４１１５をフロス供給用スティック（１０５、２１０５）に組み立てて、フロス回収側の上部ケース４１１５にフロス回収側の下部ケース４１１７を組み立てて保管することができる。
【０１３１】
そして、フロス供給用スティック（１０５、２１０５）の外面には、回収用フロス（つまり、使用されたフロス）を切断するカット部１１０１を備えることができる。
【０１３２】
このような構造と形状を有する本発明の実施の形態に係れば、ユーザが両手でフロス供給用スティックとフロス回収用スティックを握ってフロスを使用することができて、衛生的であり、従来Ｙ字型のフロスホルダーとは異なり、フロスの長さと張力を容易に調節することができ、ユーザの手の感覚をそのまま活用することにより、様々なフロスの動作が可能な効果ができるようになる。
【０１３３】
また、フロス供給用スティック内に保管されたフロスの束から持続的にきれいなフロスが供給され、使用されたフロスは、フロス回収用スティック内に保管されたり、外部に排出された後、廃棄されるため、従来毎回フロスを切って指に巻きつけ使用するか、別のフロスホルダーに巻き使った後、切って廃棄しなければならなかった不便さを解消することができ、フロスの無駄を最小化することができるという効果があるようになる。
【０１３４】
また、フロス供給用スティックまたはフロス回収用スティックに別途の収納空間が形成され、この収納スペースに歯間ブラシ、口腔清潔スプレー、振動ユニットなどが収納されることにより、歯科衛生用品を一緒に保管して使用することができる効果があるようになる。
【０１３５】
以上で、本発明の実施の形態を構成するすべての構成要素が一つに結合されたり結合されて動作することで説明されたとしても、本発明は必ずしもこれらの実施の形態に限定されるものではない。
【０１３６】
すなわち、本発明の目的の範囲内であれば、そのすべての構成要素が一つ以上で選択的に結合して動作することもできる。
【０１３７】
また、以上の様に記載された「含む」、「構成する」または「有する」などの用語は、特に反対される記載がない限り、その構成要素が内在できるということを意味するので、他の構成要素を除外するものではなく、他の構成要素をさらに含むことができるものと解釈されるべきである。
【０１３８】
技術的または科学的な用語を含むすべての用語は、異なるように定義されない限り、本発明が属する技術分野において通常の知識を有する者によって一般的に理解されるものと同じ意味を有する。
【０１３９】
事前に定義された用語のように一般的に使用される用語は、関連技術の文脈上の意味と一致するものと解釈されるべきであり、本発明で明らかに定義しない限り、理想的であるか、または過度に形式的な意味で解釈されない。
【０１４０】
以上の説明は、本発明の技術思想を例示的に説明したことにすぎないものであって、本発明が属する技術分野で通常の知識を有する者であれば、本発明の本質的な特性から逸脱しない範囲で様々な修正及び変形が可能ある。
【０１４１】
したがって、本発明に開示された実施の形態は、本発明の技術思想を限定するためのものではなく説明するためのものであり、このような実施の形態により、本発明の技術思想の範囲が限定されるものではない。
【０１４２】
本発明の保護範囲は、下記の特許請求の範囲によって解釈されるべきであり、その同等の範囲内にあるすべての技術思想は、本発明の権利範囲に含まれるものと解釈されるべきである。
【符号の説明】
【０１４３】
１００：両手で使用する歯間洗浄器    １０１：フロス排出用開口
１０３：フロス                      １０５：フロス供給用スティック
１０７：フロス引込用開口            １０９：フロス回収用スティック
１１１：フロス供給側上部ケース      １１３：フロス供給側下部ケース
１１５：フロス回収側上部ケース      １１７：フロス回収側下部ケース
２０１：フロス供給側内部柱          ２０３：第１内部の柱のフロス固定部
２０５：歯間ブラシ                  ３０１：供給用フロス保管スペース
３０３：供給用フロス固定手段        ３０５：第１上部ケースフロス固定部
３０７：収納スペース                ５０１：ボディ部
５０３：フロス誘導溝                ６０１：突出部位
６０３：溝                          ８０１：フロス回収側の内部の柱
８０３：巻きノブ                    ８０５：第２内部の柱のフロス固定部
８０７：フロス誘導溝                ９０１：回収用フロス保管スペース
９０３：回収用フロスの固定手段      ９０５：第２上部ケースのフロス固定部
１１０１：カット部                  １２０１：フロス回収側の内部の柱
１３０１：収納スペース              １４０１：保管ケース
１４０３：ボディ部                  １４０５：舌クリーナー
１５０１：振動ユニット              １５０３：溝
１６０１：歯間ブラシ                １７０１：口腔スプレー
【図１】
2016150246.tif 000003
【図２】
2016150246.tif 000004
【図３】
2016150246.tif 000005
【図４】
2016150246.tif 000006
【図５】
2016150246.tif 000007
【図６】
2016150246.tif 000008
【図７】
2016150246.tif 000009
【図８】
2016150246.tif 000010
【図９】
2016150246.tif 000011
【図１０】
2016150246.tif 000012
【図１１】
2016150246.tif 000013
【図１２】
2016150246.tif 000014
【図１３】
2016150246.tif 000015
【図１４】
2016150246.tif 000016
【図１５】
2016150246.tif 000017
【図１６】
2016150246.tif 000018
【図１７】
2016150246.tif 000019
【図１８】
2016150246.tif 000020
【図１９】
2016150246.tif 000021
【図２０】
2016150246.tif 000022
【図２１】
2016150246.tif 000023
【図２２】
2016150246.tif 000024
【図２３】
2016150246.tif 000025
【図２４】
2016150246.tif 000026
【図２５】
2016150246.tif 000027
【図２６】
2016150246.tif 000028